(57)【要約】【課題】  六角ナットを器械的に固定することでその回転を抑制し、さらに、ゆるみ防止の効果を目視により観測することのできる器具を提供する。【解決手段】  この発明は、ボルトに削穿された溝に爪をかけて回転を抑制した器具と六角ナットを帽子状に覆ってナットと一体に回転する器具の二つを接合して、歯車状の突起により固定することで、六角ナットのゆるみを防止する手段とした。  この発明は六角ナットの回転を固定する特徴を有するので、この器具の装着の有無を観測するだけでゆるみ防止の効果を計ることができる。したがって、この発明の器具に着色を行っておけば、遠距離からの目視による点検を可能にするものである。【選択図】  図１１
2005265171.tif 000002
【特許請求の範囲】
【請求項１】
ボルト軸部に削穿された溝と六角ナットの外角を作用点として、ナットを固定するゆるみ防止ナット
【発明の詳細な説明】
【技術分野】
【０００１】  この発明は、締め付けた六角ナットのゆるみを防止するとともに、ゆるみ防止の効果が目視により観測できる器具に関するものである。
【背景技術】
【０００２】  ボルトナットによる構造材の締め付けは既に大きな汎用性があるが、構造本体に振動が生じる場合等においては、時間の経過とともにナットにゆるみが生じる性格を有していた。このため、ゆるみ防止を目的としたナットやネジ山等の改良が行われてきたが、ナットの締め付け力の維持やゆるみを防止する器材の取り付け作業に手間が掛かるなど、改善の余地が残される分野であった。
【発明の開示】
【発明が解決しようとする課題】
【０００３】  この発明は、締め付けた六角ナットを器械的に固定することで回転を抑制し、ゆるみ防止の効果を目視により観測することのできる器具を開発するものである。
【課題を解決するための手段】
【０００４】  ボルト軸に削穿された溝に爪をかけて回転を抑制した器具と六角ナットを帽子状に覆ってナットと一体に回転する器具とを接合して固定することで、ボルト軸の溝と六角ナットの外角を作用点として六角ナットのゆるみを防止する手段とした。
【発明の効果】
【０００５】  この発明は、従来の行程と同じように六角ナットを締め付けた後に、ゆるみを防止するための器具を装着するものである。さらに、この発明は六角ナットを器械的に固定する特徴を有するので、この器具の装着の有無を観測するだけでゆるみ防止の効果を確認することができる。
【発明を実施するための最良の形態】
【０００６】  ボルト（１）は〔図１〕及び〔図２〕に示すとおり、ネジ切り部分に２本の軸方向に向かう溝（２）を削穿したものである。（２）は〔図５〕に示す連結器具（５）の内側に突出した爪（６）が（２）に沿って滑動するためのガイドの役割を果たす。【０００７】  ゆるみ防止器具は、〔図５〕から〔図７〕、並びに〔図８〕から〔図１０〕、さらに〔図１１〕に示すとおり、二つに区分されて、連結器具（５）と六角ナット（３）を帽子状に覆う器具（９）から構成される。【０００８】  器具（５）はボルト（１）に挿入して滑動する仕組みの円筒管であり、その内側には溝（２）をガイドとして動く２個の突出した爪（６）を有する。また、（５）の外側部のうち器具（９）と接合する部分にはこまめな角度の変化で接合を可能とする歯車状の突起（７）を有する。（５）の一方の端部は（９）と接合した時に抜け落ちないための張り出し部（８）を有する。【０００９】  器具（９）はボルト（１）に挿入した後に、器具（５）を収納し、さらに六角ナット（３）を帽子状に覆う形状の器具である。（９）の先行側の側面は（３）を収納するための六角形の開口部を有する。また、反対の側面は器具（５）と接合するために（７）の形状に見合う歯車状の開口部を有する。【００１０】  〔図３〕及び〔図４〕に示す六角ナット（３）と〔図８〕から〔図１０〕に示す器具（９）は、それぞれが接合する任意の側面位置に抜け落ち防止のための凹部のえくぼ（４）と凸部の差込（１０）を有する。また、（９）は先行側の先端に取り外しの際の作用点となる切り欠き部（１１）を有する。【００１１】  この器具の装着の仕様について説明する。まず、従来と同じ行程により六角ナット（３）を装着して、締め付け力を確認する。次いで、器具（５）をボルト（１）に通し、溝（２）をガイドとして（３）に接する位置まで挿入する。続いて、器具（９）を（１）に通し、（９）が（３）を覆うように挿入する。装着の状態を確認した後に、（３）と（９）とが完全に接合するように、ハンマー等を用いて固定のための打撃を加える。
【実施例】
【００１２】  ナットはその締め付け力に多少の誤差が許容される場合もある。仮に、許容される誤差の範囲がボルトのネジ山ピッチの６分の１以上、つまり、六角ナットの角に合わせて固定することが可能である場合は、〔図１２〕に示すとおり歯車状の接合部分を省略して、連結器具（５）と六角ナットを帽子状に覆う器具（９）とが一体構造になる装着器具とすることができる。この場合、ボルト（１）における溝（２）の溝幅は〔図１３〕に示すように、許容される誤差の範囲まで拡大させる形状となる。【００１３】  この発明は、ボルトとナットの２点を器械的に固定するところに特徴があり、この発明の器具が破壊されない限り、ナットがゆるむ状態は発生しない。この器具の装着状態を観測するだけで、ゆるみ防止の効果が確認できるのである。したがって、あらかじめナットに着色をしておけば、その着脱を遠距離から観測する仕掛けとして、その有効な活用を見込むことができる。例えば、高圧鉄塔のように高所で危険な位置であっても、ナットのゆるみを地上から点検することを可能にするものである。
【産業上の利用可能性】
【００１４】  構造材に外力が加わると、ナットにゆるみが生じる例は多い。この考案は、ボルトナットを使用する全ての機資材に共通する課題に対応するものであり、鉄鋼製品製造の分野に技術を提供するものである。
【図面の簡単な説明】
【００１５】〔図１〕ボルト（１）の側面図
〔図２〕ボルト（１）の軸直角方向断面図
〔図３〕ナット（３）の正面図
〔図４〕ナット（３）の側面図
〔図５〕連結器具（５）の正面図
〔図６〕連結器具（５）の側面図
〔図７〕連結器具（５）の斜視図
〔図８〕六角ナットを帽子状に覆う器具（９）の正面図
〔図９〕六角ナットを帽子状に覆う器具（９）の側面図
〔図１０〕六角ナットを帽子状に覆う器具（９）の斜視図
〔図１１〕この考案を装着状態にした断面図
〔図１２〕取り付け器具（１３）の斜視図
〔図１３〕締付力の誤差が許容される場合のボルト（１）の軸直角方向断面図
【符号の説明】
【００１６】  １：ボルト
２：溝
３：六角ナット
４：凹部のえくぼ
５：連結器具
６：内側に突出した爪
７：歯車状の突起
８：（５）が抜け落ちないための張り出し部
９：六角ナットを帽子状に覆う器具
１０：凸部の差込
１１：取り外しの用に供する切り欠き部
【図１】
2005265171.tif 000003
【図２】
2005265171.tif 000004
【図３】
2005265171.tif 000005
【図４】
2005265171.tif 000006
【図５】
2005265171.tif 000007
【図６】
2005265171.tif 000008
【図７】
2005265171.tif 000009
【図８】
2005265171.tif 000010
【図９】
2005265171.tif 000011
【図１０】
2005265171.tif 000012
【図１１】
2005265171.tif 000013
【図１２】
2005265171.tif 000014
【図１３】
2005265171.tif 000015